(57)【特許請求の範囲】
【請求項１】
増幅器の入力信号および帰還信号に基づき、前記増幅器の歪補償データを演算する第１および第２誤差演算部と、
前記第１および第２誤差演算部での演算結果がそれぞれ書込まれる第１および第２補償テーブルと、
入力信号の振幅が前回の入力時よりも上昇したか下降したかに応じて前記歪補償データを演算する誤差演算部を切替える第１切替器と、
入力信号の振幅が前回の入力時よりも上昇したか下降したかに応じて前記歪補償データを読出す補償テーブルおよび読出しアドレスを切替える第２切替器と、
入力信号の振幅が前回の入力時よりも上昇したか下降したかを判定しその結果を前記第１切替器に通知する振幅判定部と、
入力信号の振幅が前回の入力時よりも上昇したか下降したかを判定しその結果を前記第２切替器に通知する振幅比較部と、
入力信号の振幅に基づき前記第１および第２補償テーブルの読出しアドレスを設定する振幅計算部と、
前記第１および第２補償テーブルから前記歪補償データを読出し、その歪補償データに基づき前記増幅器の歪を補償する歪補償演算部とを含み、
入力信号の振幅が前回の入力時よりも上昇した場合に前記歪補償データが前記第１誤差演算部で演算され、下降した場合に前記第２誤差演算部で演算され、
かつ入力信号の振幅が前回の入力時よりも上昇した場合に前記歪補償データが前記第１補償テーブルから読出され、下降した場合に前記第２補償テーブルから読出されることを特徴とする歪補償回路。
【請求項２】
請求項１記載の歪補償回路を含む送信装置。
【請求項３】
請求項２記載の送信装置を含む通信システム。
【請求項４】
入力信号の振幅が前回の入力時よりも上昇したか下降したかに応じて増幅器の歪補償データを演算する誤差演算部を第１または第２誤差演算部に切替える第１ステップと、
前記誤差演算部による演算結果を前記誤差演算部に対応する第１または第２補償テーブルに書込む第２ステップと、
入力信号の振幅が前回の入力時よりも上昇したか下降したかに応じて前記歪補償データを読出す補償テーブルおよび読出しアドレスを前記第１または第２補償テーブルに切替える第３ステップと、
入力信号の振幅が前回の入力時よりも上昇したか下降したかを判定しその結果を前記第１ステップに通知する第４ステップと、
入力信号の振幅が前回の入力時よりも上昇したか下降したかを判定しその結果を前記第３ステップに通知する第５ステップと、
入力信号の振幅に基づき前記第１および第２補償テーブルの読出しアドレスを設定する第６ステップと、
前記第１および第２補償テーブルから前記歪補償データを読出し、その歪補償データに基づき前記増幅器の歪を補償する第７ステップとを含み、
入力信号の振幅が前回の入力時よりも上昇した場合に前記歪補償データが前記第１誤差演算部で演算され、下降した場合に前記第２誤差演算部で演算され、
かつ入力信号の振幅が前回の入力時よりも上昇した場合に前記歪補償データが前記第１補償テーブルから読出され、下降した場合に前記第２補償テーブルから読出されることを特徴とする歪補償方法。
【発明の詳細な説明】
【技術分野】
【０００１】
本発明は、歪補償回路、送信装置および通信システムならびに歪補償方法に関し、特にディジタル直交ベースバンド送信信号を増幅する電力増幅器の歪補償回路、送信装置および通信システムならびに歪補償方法に関する。
【背景技術】
【０００２】
近年、ディジタル移動体通信システムにおいて、電力増幅手段の非線形歪による隣接チャネル漏洩電力を抑圧するための代表的な歪補償技術として、プリディストーション方式が提案されている（たとえば、特許文献１参照）。
【０００３】
図６は特許文献１に記載のプリディストーション型歪補償回路を含む送信装置の一例の構成図である。
【０００４】
同図を参照すると、送信装置１００は送信データ生成部１と、送信データ生成部１にて生成された送信データが入力される歪補償演算部２と、歪補償演算部２にて歪補償された送信データが入力されるディジタル／アナログ（Ｄ／Ａ）変換器３−１および３−２とを含んで構成される。
【０００５】
さらに送信装置１００は、ディジタル／アナログ（Ｄ／Ａ）変換器３−１および３−２にてディジタルからアナログに変換された送信データが入力される直交変調器４と、基準信号生成部５と、直交変調器４にて直交変調された送信データが入力される電力増幅部６とを含んで構成される。
【０００６】
さらに送信装置１００は、電力増幅部６にて電力増幅された送信データの一部を帰還させる方向性結合器７と、方向性結合器７からの帰還信号が入力される直交復調器８と、直交復調器８にて直交復調された帰還信号が入力されるアナログ／ディジタル（Ａ／Ｄ）変換器９−１および９−２とを含んで構成される。
【０００７】
さらに送信装置１００は、送信データ生成部１で生成された送信データが入力される振幅計算部１０と、アナログ／ディジタル（Ａ／Ｄ）変換器９−１および９−２でアナログからディジタルに変換された送信データ、振幅計算部１０にて計算されたデータおよび送信データ生成部１にて生成された送信データが入力される誤差演算および補償データ生成部１１とを含んで構成される。
【０００８】
また、基準信号生成部５で生成された基準信号は直交変調器４および直交復調器８に入力され、誤差演算および補償データ生成部１１で生成された補償データが歪補償演算部２へ入力される。
【０００９】
次に、送信装置１００の動作について説明する。送信データ生成部１で生成されたディジタル直交ベースバンド信号は歪補償演算部２へ入力される。
【００１０】
歪補償演算部２はそのディジタル直交ベースバンド信号を、誤差演算および補償データ生成部１１で生成された歪補償データに基づき複素乗算し歪補償を行う。
【００１１】
Ｄ／Ａ変換器３−１および３−２は歪補償されたディジタル直交ベースバンド信号をアナログ直交ベースバンド信号に変換する。
【００１２】
直交変調器４は基準信号生成部５からの基準信号を用いてそのアナログ直交ベースバンド信号を直交変調する。
【００１３】
電力増幅部６はその直交変調されたアナログ直交ベースバンド信号を電力増幅する。
【００１４】
電力増幅部６の出力の一部は方向性結合器７により直交復調器８に帰還される。
【００１５】
直交復調器８は基準信号生成部５からの基準信号を用いてそのアナログ直交ベースバンド信号を復調する。
【００１６】
Ａ／Ｄ変換器９−１および９−２はその復調されたアナログ直交ベースバンド信号をディジタル直交ベースバンド信号に変換する。
【００１７】
誤差演算および補償データ生成部１１はそのディジタル直交ベースバンド信号と、送信データ生成部１からのディジタル直交ベースバンド信号とを比較し、振幅計算部１０からの振幅値をアドレスとして歪補償データを生成する。そして、誤差演算および補償データ生成部１１はその振幅値をアドレスとしてその歪補償データを歪補償演算部２へ出力する。
【００１８】
なお、直交変調および直交復調にディジタル方式を採用する構成や、直接変調ではなく周波数変換器を用いる構成も検討されている。また、振幅計算部１０による振幅値をアドレスとする替わりに、振幅計算部１０による振幅値の二乗の電力値をアドレスとして歪補償演算を行う構成も提案されている。
【００１９】
しかし、増幅器における歪発生メカニズムは、瞬時入力振幅（または電力）に対するＡＭ（ａｍｐｌｉｔｕｄｅ  ｍｏｄｕｌａｔｉｏｎ：振幅変調）／ＡＭ特性およびＡＭ／ＰＭ（ｐｈａｓｅ  ｍｏｄｕｌａｔｉｏｎ：位相変調）特性だけではなく、メモリ効果に代表される「過去の状態によって現在の非線形特性が影響を受ける特性」が存在する。
【００２０】
図７は関連する高出力増幅器の入力振幅に対するＡＭ／ＡＭ特性の一例のグラフを示す図である。同図はとくに入力振幅の過去の状態は意識せず、時系列でサンプルされたデータを入力振幅に対してプロットしたデータである。同図を参照すると、同一振幅値に対して複数のデータが存在する。
【００２１】
図８は図７に示したＡＭ／ＡＭ特性サンプルデータの一部のポイントについて、時間変化をトレースさせた波形を示す図である。図８を参照すると、同一入力振幅であっても、時間変化（過去の状態）によって、データは異なる軌跡を描くことが分かる。
【００２２】
図９は、図７に示したＡＭ／ＡＭ特性サンプルデータについて、時間変化として入力振幅が上昇した点をだけをサンプルしたＡＭ／ＡＭ特性を示す図で、図１０は時間変化として入力振幅が下降した点をだけをサンプルしたＡＭ／ＡＭ特性を示す図である。図１０中の曲線は、各々のサンプルデータを多項式で近似したものである。
【００２３】
歪補償回路における補償テーブルデータは、離散的なサンプルデータから誤差最小となる演算処理で生成される為、ほぼこの多項式曲線の逆特性のようになる。ここで、入力振幅上昇点サンプルで観測されるＡＭ／ＡＭ特性と、入力振幅下降点サンプルで観測されるＡＭ／ＡＭ特性が異なっていることがわかる。
【００２４】
また同様に、図１１は入力振幅に対する高出力増幅器のＡＭ／ＰＭ特性の一例を示す図である。特に入力振幅の過去の状態は意識せず、時系列でサンプルされたデータを入力振幅に対してプロットしたデータである。同一入力振幅値に対して複数のデータが存在する。
【００２５】
図１２は、図１１に示したＡＭ／ＰＭ特性サンプルデータの一部のポイントについて、時間変化をトレースさせた波形を示す図である。同一入力振幅に対しても、時間変化（過去の状態）によって、異なる軌跡を示していることがわかる。
【００２６】
図１３は、図１１に示したＡＭ／ＰＭ特性サンプルデータについて、時間変化として入力振幅が上昇した点をだけをサンプルしたＡＭ／ＰＭ特性を示す図で、図１４は時間変化として入力振幅が下降した点をだけをサンプルしたＡＭ／ＰＭ特性を示す図である。
【００２７】
図１４中の曲線は、各々のサンプルデータを多項式で近似したものである。歪補償回路における補償テーブルデータは、離散的なサンプルデータから誤差最小となる演算処理で生成される為、ほぼこの多項式曲線の逆特性のようになる。
【００２８】
ここで、入力振幅上昇点サンプルで観測されるＡＭ／ＰＭ特性と、入力振幅下降点サンプルで観測されるＡＭ／ＰＭ特性が異なっていることがわかる。
【００２９】
増幅器における歪発生メカニズムには、瞬時入力振幅（または電力）に対するＡＭ／ＡＭ特性およびＡＭ／ＰＭ特性だけでなく、メモリ効果に代表される、過去の状態によって現在の非線形特性が影響を受ける特性が存在する。
【００３０】
この為、瞬時入力振幅（または電力）のみをアドレスとして参照される歪補償テーブルを備えた構成では、メモリ効果によって発生する非線形歪を補償することはできないため、十分な歪補償効果が得られないという問題があった。
【００３１】
一方、ＦＩＲ（ｆｉｎｉｔｅ  ｉｍｐｕｌｓｅ  ｒｅｓｐｏｎｓｅ）フィルタを用いてメモリ効果を補償する非線形補償回路が特許文献２に記載され、ＦＩＲフィルタと同様の効果を得るために、複数の補償テーブルに記憶される補償係数を異なる遅延で合成する歪補償回路が特許文献３に記載されている。
【００３２】
また、電力が上昇傾向である場合と、下降傾向である場合とで電力が同一の場合における振幅成分と位相成分とが異なるようにアンバランスＩＭ（ｉｎｔｅｒ−ｍｏｄｕｌａｔｉｏｎ）特性を生成する歪補償装置が特許文献４に記載されている。
【００３３】
また、現在と過去の送信信号の電力あるいは振幅に応じた歪補償係数をメモリから読出し、送信電力増幅器の出力信号に基づきその歪補償係数を更新する歪補償装置が特許文献５に記載されている。
【００３４】
【特許文献１】特開２００３−１６８９３１号公報
【特許文献２】特開２００５−０３３６３２号公報
【特許文献３】特開２００４−３２０５９８号公報
【特許文献４】再特表２００４−０９５６８９号公報
【特許文献５】再特表２００１−００８３２０号公報
【発明の開示】
【発明が解決しようとする課題】
【００３５】
しかし、特許文献２〜５に記載の発明は、補償係数を導出するアルゴリズムが複雑になることと、それに伴って歪補償の収束時間が長くなるという課題がある。
【００３６】
そこで本発明の目的は、既存の歪補償テーブル（瞬時入力振幅（または電力）のみをアドレスとして参照される歪補償テーブル）を用い、かつ既存アルゴリズムのままで歪補償効果を改善することが可能な歪補償回路、送信装置および通信システムならびに歪補償方法を提供することにある。
【課題を解決するための手段】
【００３７】
前記課題を解決するために、本発明による歪補償回路は、増幅器の入力信号および帰還信号に基づき、前記増幅器の歪補償データを演算する第１および第２誤差演算部と、前記第１および第２誤差演算部での演算結果がそれぞれ書込まれる第１および第２補償テーブルと、入力信号の振幅が前回の入力時よりも上昇したか下降したかに応じて前記歪補償データを演算する誤差演算部を切替える第１切替器と、入力信号の振幅が前回の入力時よりも上昇したか下降したかに応じて前記歪補償データを読出す補償テーブルおよび読出しアドレスを切替える第２切替器と、入力信号の振幅が前回の入力時よりも上昇したか下降したかを判定しその結果を前記第１切替器に通知する振幅判定部と、入力信号の振幅が前回の入力時よりも上昇したか下降したかを判定しその結果を前記第２切替器に通知する振幅比較部と、入力信号の振幅に基づき前記第１および第２補償テーブルの読出しアドレスを設定する振幅計算部と、前記第１および第２補償テーブルから前記歪補償データを読出し、その歪補償データに基づき前記増幅器の歪を補償する歪補償演算部とを含み、入力信号の振幅が前回の入力時よりも上昇した場合に前記歪補償データが前記第１誤差演算部で演算され、下降した場合に前記第２誤差演算部で演算され、かつ入力信号の振幅が前回の入力時よりも上昇した場合に前記歪補償データが前記第１補償テーブルから読出され、下降した場合に前記第２補償テーブルから読出されることを特徴とする。
【００３８】
また、本発明による送信装置は上記歪補償回路を含むことを特徴とする。
【００３９】
また、本発明による通信システムは上記送信装置を含むことを特徴とする。
【００４０】
また、本発明による歪補償方法は、入力信号の振幅が前回の入力時よりも上昇したか下降したかに応じて増幅器の歪補償データを演算する誤差演算部を第１または第２誤差演算部に切替える第１ステップと、前記誤差演算部による演算結果を前記誤差演算部に対応する第１または第２補償テーブルに書込む第２ステップと、入力信号の振幅が前回の入力時よりも上昇したか下降したかに応じて前記歪補償データを読出す補償テーブルおよび読出しアドレスを前記第１または第２補償テーブルに切替える第３ステップと、入力信号の振幅が前回の入力時よりも上昇したか下降したかを判定しその結果を前記第１ステップに通知する第４ステップと、入力信号の振幅が前回の入力時よりも上昇したか下降したかを判定しその結果を前記第３ステップに通知する第５ステップと、入力信号の振幅に基づき前記第１および第２補償テーブルの読出しアドレスを設定する第６ステップと、前記第１および第２補償テーブルから前記歪補償データを読出し、その歪補償データに基づき前記増幅器の歪を補償する第７ステップとを含み、入力信号の振幅が前回の入力時よりも上昇した場合に前記歪補償データが前記第１誤差演算部で演算され、下降した場合に前記第２誤差演算部で演算され、かつ入力信号の振幅が前回の入力時よりも上昇した場合に前記歪補償データが前記第１補償テーブルから読出され、下降した場合に前記第２補償テーブルから読出されることを特徴とする。
【発明の効果】
【００４２】
本発明によれば、既存の歪補償テーブル（瞬時入力振幅（または電力）のみをアドレスとして参照される歪補償テーブル）を用い、かつ既存アルゴリズムのままで歪補償効果を改善することが可能となる。
【発明を実施するための最良の形態】
【００４３】
以下、本発明の実施形態について添付図面を参照しながら説明する。
【００４４】
まず、本発明の実施形態の説明に入る前に、本発明の動作原理について説明しておく。
【００４５】
図１は本発明に係る歪補償回路の一例の基本構成図である。同図を参照すると、本発明に係る歪補償回路５０は、増幅器（図６の電力増幅器６）の入力信号および帰還信号に基づき、その増幅器の歪補償データを演算する第１誤差演算部５１および第２誤差演算部５２とを含んで構成される。
【００４６】
さらに歪補償回路５０は、第１誤差演算部５１および第２誤差演算部５２での演算結果がそれぞれ書込まれる第１補償テーブル５３および第２補償テーブル５４と、入力信号の振幅が前回の入力時よりも上昇したか下降したかに応じて前記歪補償データを演算する誤差演算部を切替える第１切替器５５とを含んで構成される。
【００４７】
さらに歪補償回路５０は、入力信号の振幅が前回の入力時よりも上昇したか下降したかに応じて歪補償データを読出す補償テーブルおよび読出しアドレスを切替える第２切替器５６とを含んで構成される。
【００４８】
すなわち、一例として、入力信号の振幅が前回の入力時よりも上昇した場合は第１切替器５５により誤差演算部が第１誤差演算部５１に切替えられ、第１誤差演算部５１にて歪補償データが演算され、その演算結果が第１補償テーブル５３に書込まれる。
【００４９】
一方、入力信号の振幅が前回の入力時よりも下降した場合は第１切替器５５により誤差演算部が第２誤差演算部５２に切替えられ、第２誤差演算部５２にて歪補償データが演算され、その演算結果が第２補償テーブル５４に書込まれる。
【００５０】
また、第１補償テーブル５３および第２補償テーブル５４からの補償データの読出しについては、入力信号の振幅が前回の入力時よりも上昇した場合は補償テーブルが第１補償テーブル５３に切替えられ、第１補償テーブル５３から補償データが読出される。
【００５１】
一方、入力信号の振幅が前回の入力時よりも下降した場合は補償テーブルが第２補償テーブル５４に切替えられ、第２補償テーブル５４から補償データが読出される。
【００５２】
次に、本発明に係る歪補償回路の一例の基本動作について説明する。図２は本発明に係る歪補償回路の一例の基本動作を示すフローチャートである。
【００５３】
同図を参照すると、第１切替器５５は入力信号の振幅の上昇または下降に応じて歪補償データを演算する誤差演算部を、誤差演算部５１または５２に切替える（ステップＳ１）。
【００５４】
次に、歪補償データを演算した誤差演算部５１または５２は、演算結果を対応する補償テーブル５３または５４に書込む（ステップＳ２）。
【００５５】
次に、第２切替器５６は入力信号の振幅の上昇または下降に応じて歪補償データを読出す補償テーブルを、補償テーブル５３または５４に切替える（ステップＳ３）。
【００５６】
すなわち、本発明では入力信号の振幅の上昇時と下降時に、別個の補償テーブルに歪補償データが書込まれ、かつ入力信号の振幅の上昇時と下降時に、別個の補償テーブルから歪補償データが読出される構成を含むが、データの書込みおよび読出しのアルゴリズムは既存の歪補償テーブルと同様である。
【００５７】
したがって、本発明によれば、既存の歪補償テーブル（瞬時入力振幅（または電力）のみをアドレスとして参照される歪補償テーブル）を用い、かつ既存アルゴリズムのままで歪補償効果を改善することが可能となる。
【００５８】
次に、本発明の第１実施形態について説明する。図３は本発明に係る歪補償回路の第１実施形態の構成図である。なお、同図において関連する歪補償回路（図５参照）と同様の構成部分については同一番号を付し、その説明を省略する。
【００５９】
図３を参照すると、本発明に係る歪補償回路２０は、電力増幅器（図６の電力増幅器６参照）の歪補償を演算する歪補償演算部２と、入力信号の振幅を計算する振幅計算部１０と、入力信号および振幅計算部１０の計算結果に基づいて誤差演算および補償データの生成を行う誤差演算および補償データ生成部２１とを含んで構成される。
【００６０】
なお、誤差演算および補償データ生成部２１が関連技術（図６）の誤差演算および補償データ生成部１１に対応している。
【００６１】
誤差演算および補償データ生成部２１は、入力信号Ｉ，Ｑの極座標変換を行う極座標変換部１２−１と、図示しないＡ／Ｄ９−１および９−２（図６参照）からの帰還信号Ｉ’，Ｑ’の極座標変換を行う極座標変換部１２−２と、極座標変換部１２−１から出力される振幅情報Ｒの判定を行う振幅判定部１５とを含んで構成される。
【００６２】
さらに誤差演算および補償データ生成部２１は、振幅判定部１５での判定結果に応じて極座標変換部１２−１からのデータの出力先である誤差演算部（後述）を切替える切替器１６−１および１６−２と、振幅判定部１５での判定結果に応じて極座標変換部１２−２からの情報の出力先である誤差演算部（後述）を切替える切替器１６−３および１６−４とを含んで構成される。
【００６３】
さらに誤差演算および補償データ生成部２１は、極座標変換部１２−１および１２−２からの情報を切替器１６−１〜１６−４のいずれかを介して入力し誤差演算を行う誤差演算部１３−１および１３−２と、誤差演算部１３−１および１３−２での演算結果がそれぞれ書込まれる補償テーブル１４−１および１４−２とを含んで構成される。
【００６４】
さらに誤差演算および補償データ生成部２１は、振幅計算部１０からの今回の入力振幅値Ｒｎと前回の入力振幅値Ｒｎ−１とを比較する振幅比較部１８と、振幅情報を１サンプル遅延させる遅延回路１７と、振幅比較部１８での比較結果に基づき補償テーブル１４−１および１４−２の参照アドレス（振幅アドレス）を切替える切替器１６とを含んで構成される。
【００６５】
さらに誤差演算および補償データ生成部２１は、振幅比較部１８での比較結果に基づき振幅データを読出す補償テーブル１４−１および１４−２を切替えるセレクタ１９−１と、振幅比較部１８での比較結果に基づき位相データを読出す補償テーブル１４−１および１４−２を切替えるセレクタ１９−２とを含んで構成される。
【００６６】
さらに誤差演算および補償データ生成部２１は、切替器１６および１６−１〜１６−４、セレクタ１９−１および１９−２、誤差演算部１３−１および１３−２、補償テーブル１４−１および１４−２を制御する制御部３１と、図２にフローチャートで示すプログラムが格納されるプログラム格納部３２とを含んで構成される。
【００６７】
なお、振幅計算部１０で計算された振幅値Ｒが補償テーブル１４−１および１４−２を参照する参照アドレスとなる。
【００６８】
次に、第１の実施形態の動作について説明する。
【００６９】
まず、歪補償データを生成、更新する処理について説明する。入力Ｉ、Ｑ信号、および帰還Ｉ’、Ｑ’信号を、各々極座標変換部１２−１および１２−２によって振幅情報（入力Ｒおよび帰還Ｒ’）と位相情報（入力θおよび帰還θ’）に変換する。
【００７０】
その情報に基づいて、入力振幅Ｒと帰還振幅Ｒ’、および入力位相θと帰還位相θ’間の誤差演算を行い、その結果を補償テーブル１４−１および１４−２に反映する。
【００７１】
この際、振幅判定部１５にて入力振幅Ｒの入力信号振幅の上昇、下降を判定する。
【００７２】
判定方法としては、サンプルした入力振幅の時系列データから、その時間変化（ΔＲ）が正の場合は上昇、負の場合は下降と判定し、上昇の場合の誤差演算部１３−１と、下降の場合の誤差演算部１３−２に対して、切替器１６−１および１６−２によってサンプルデータを振り分ける。
【００７３】
尚、振幅の時間変化が無い（ΔＲ＝０）の場合は、切替器１６−１および１６−２を前の状態から変化させないもののとする。
【００７４】
入力振幅上昇点サンプルによる誤差演算部１３−１と、入力振幅下降点サンプルによる誤差演算部１３−２の演算結果は、それぞれ補償テーブル１４−１と補償テーブル１４−２とに反映される。
【００７５】
ここで、補償テーブルは２面となるが、各々に対する誤差演算およびテーブルに対する更新処理は、関連する歪補償回路のアルゴリズムと同一でよい。
【００７６】
次に、歪補償データの参照および出力処理について説明する。関連する歪補償回路では、補償テーブルは瞬時入力振幅をアドレスとして参照される。
【００７７】
しかし、本発明では、入力振幅上昇点サンプルによる補償テーブル１４−１と、入力振幅下降点サンプルによる補償テーブル１４−２とを備え、振幅計算部１０からの振幅情報を１サンプル遅延させる遅延回路１７によって瞬時入力振幅Ｒｎと１サンプル前の入力振幅Ｒｎ−１を比較器１８によって比較することで、入力振幅の入力信号振幅の上昇、下降を判定する。
【００７８】
Ｒｎ＞Ｒｎ−１の場合は上昇、Ｒｎ＜Ｒｎ−１の場合は下降と判定し、切替器１６によって入力振幅上昇点サンプルによる補償テーブル１４−１と、入力振幅下降点サンプルによる補償テーブル１４−２のアドレスを切り替え、更にセレクタ１９−１、１９−２によって補償データを切り替える。尚、振幅の時間変化が無い（Ｒｎ＝Ｒｎ−１）の場合には、切替器１６、セレクタ１９−１およびセレクタ１９−２を前の状態から変化させないもののとする。
【００７９】
以上説明したように、本発明の第１実施形態によれば、入力振幅上昇点サンプルによる補償テーブルと、入力振幅下降点サンプルによる補償テーブルを備えることにより、各々のテーブルに対する誤差演算、およびテーブルに対する更新処理は関連する歪補償回路のアルゴリズムと同一のままで、過去の振幅状態に影響を受けたメモリ効果を補償することが可能となる。
【００８０】
次に、本発明の第２実施形態について説明する。図４は本発明の第２実施形態の構成図である。第２実施形態は送信装置に関するものである。同図を参照すると、本発明に係る送信装置４０は歪補償回路２０（図３参照）を含んでいる。
【００８１】
また、本送信装置４０における歪補償回路２０以外の構成は、図６の関連装置から誤差演算および補償データ生成部１１、歪補償演算部２および振幅計算部１０を除いた構成と同様である。なお、歪補償回路２０の構成および動作は既に述べたので、ここでの説明は省略する。
【００８２】
以上説明したように、本発明の第２実施形態によれば、送信装置４０は上記歪補償演算部２０を含むため、第１実施形態と同様に、過去の振幅状態に影響を受けたメモリ効果を補償することが可能となる。
【００８３】
次に、本発明の第３実施形態について説明する。図５は本発明の第３実施形態の構成図である。第３実施形態は通信システムに関するものである。同図を参照すると、本発明に係る通信システム６０は送信装置４０と、この送信装置４０と通信を行う１個または複数個の端末装置４１−１〜４１−ｎ（ｎは正の整数）とを含んで構成される。
【００８４】
送信装置４０は第２実施形態で示した送信装置である（図４参照）。また、送信装置４０は一例として基地局に設けられる送信装置であり、送信系の電力増幅器で発生する歪を補償する歪補償回路を備えている。
【００８５】
一方、端末装置４１−１〜４１−ｎは一例として携帯端末であり、無線で送信装置４０と通信を行う。
【００８６】
以上説明したように、本発明の第３実施形態によれば、通信システム６０は上記送信装置４０を含むため、第２実施形態と同様に、過去の振幅状態に影響を受けたメモリ効果を補償することが可能となる。
【００８７】
なお、送信装置４０と端末装置４１−１〜４１−ｎとが有線で通信を行う通信システムに本発明を適用することも可能である。
【００８８】
次に、本発明の第４実施形態について説明する。第４実施形態は歪補償方法のプログラムに関するものである。図３を参照すると、本発明に係る誤差演算および補償データ生成部２１は制御部３１と、プログラム格納部３２とを含んでいる。
【００８９】
前述のとおり、制御部３１は切替器１６および１６−１〜１６−４、セレクタ１９−１および１９−２、誤差演算部１３−１および１３−２、補償テーブル１４−１および１４−２を制御する。また、プログラム格納部３２には図２にフローチャートで示すプログラムが格納されている。
【００９０】
誤差演算および補償データ生成部２１の制御部３１はプログラム格納部３２から歪補償方法のプログラムを読出し、そのプログラムにしたがって切替器１６および１６−１〜１６−４、セレクタ１９−１および１９−２、誤差演算部１３−１および１３−２、補償テーブル１４−１および１４−２を制御する。その制御内容については既に述べたので、ここでの説明は省略する。
【００９１】
以上説明したように、本発明の第４実施形態によれば、入力振幅上昇点サンプルによる補償テーブルと、入力振幅下降点サンプルによる補償テーブルを備えることにより、各々のテーブルに対する誤差演算、およびテーブルに対する更新処理は関連する歪補償回路のアルゴリズムと同一のままで、過去の振幅状態に影響を受けたメモリ効果を補償することが可能なプログラムが得られる。
【００９２】
また、他の実施形態として、歪補償テーブルの更新、および補償データを出力する為のテーブル参照アドレスは、振幅値ではなく、振幅値の二乗である電力値とする構成も可能である。
【００９３】
また、補償テーブルに対する処理を切り替える条件として、上記実施形態では入力信号振幅の時間変化における振幅が上昇したか、下降したかの判定で、遅延による１サンプル前の状態を使用する例を示したが、そのサンプル数を特性に応じて変化させる構成も可能である。
【図面の簡単な説明】
【００９４】
【図１】本発明に係る歪補償回路の一例の基本構成図である。
【図２】本発明に係る歪補償回路の一例の基本動作を示すフローチャートである。
【図３】本発明に係る歪補償回路の第１実施形態の構成図である。
【図４】本発明の第２実施形態の構成図である。
【図５】本発明の第３実施形態の構成図である。
【図６】特許文献１に記載のプリディストーション型歪補償回路を含む送信装置の一例の構成図である。
【図７】関連する高出力増幅器の入力振幅に対するＡＭ／ＡＭ特性の一例のグラフを示す図である。
【図８】図７に示したＡＭ／ＡＭ特性サンプルデータの一部のポイントについて、時間変化をトレースさせた波形を示す図である。
【図９】図７に示したＡＭ／ＡＭ特性サンプルデータについて、時間変化として入力振幅が上昇した点をだけをサンプルしたＡＭ／ＡＭ特性を示す図である。
【図１０】時間変化として入力振幅が下降した点をだけをサンプルしたＡＭ／ＡＭ特性を示す図である。
【図１１】入力振幅に対する高出力増幅器のＡＭ／ＰＭ特性の一例を示す図である。
【図１２】図１１に示したＡＭ／ＰＭ特性サンプルデータの一部のポイントについて、時間変化をトレースさせた波形を示す図である。
【図１３】図１１に示したＡＭ／ＰＭ特性サンプルデータについて、時間変化として入力振幅が上昇した点をだけをサンプルしたＡＭ／ＰＭ特性を示す図である。
【図１４】時間変化として入力振幅が下降した点をだけをサンプルしたＡＭ／ＰＭ特性を示す図である。
【符号の説明】
【００９５】
２  歪補償演算部
１０  振幅計算部
１２  極座標変換部
１３  誤差演算部
１４  補償テーブル
１５  振幅判定部
１６  切替器
１７  遅延回路
１８  振幅比較部
１９  セレクタ
２０  歪補償回路
２１  誤差演算および補償データ生成部
３１  制御部
３２  プログラム格納部
４０  送信装置
４１  端末装置
５０  歪補償回路
５１  第１誤差演算部
５２  第２誤差演算部
５３  第１補償テーブル
５４  第２補償テーブル
５５  第１切替器
５６  第２切替器
６０  通信システム
【図１】
0005228521.tif 000002
【図２】
0005228521.tif 000003
【図３】
0005228521.tif 000004
【図４】
0005228521.tif 000005
【図５】
0005228521.tif 000006
【図６】
0005228521.tif 000007
【図７】
0005228521.tif 000008
【図８】
0005228521.tif 000009
【図９】
0005228521.tif 000010
【図１０】
0005228521.tif 000011
【図１１】
0005228521.tif 000012
【図１２】
0005228521.tif 000013
【図１３】
0005228521.tif 000014
【図１４】
0005228521.tif 000015